(57)【要約】【課題】２種類のタイマ機能の設定が、誰にでも容易に行える燃焼器のタイマ装置を提供する。【解決手段】予め設定された時刻になると燃焼運転を開始させる第１タイマ１と、セットされた時刻から所定時間経過後に燃焼運転を停止させる第２タイマ６とを備えたもので、前記第２タイマ６は第１タイマ１のカウント開始と同時に、燃焼停止までのダウンカウントを開始することにより、第１タイマ１をセットすることで、自動的に第２タイマ６もセットされ、極めて便利であり煩わしい操作の必要がなく、婦女子や高齢者でも容易にタイマ機能を利用出来、誤動作の心配もなく常に安心して使用出来るものである。【選択図】  図１
2005315443.tif 000002
【特許請求の範囲】
【請求項１】
予め設定された時刻になると燃焼運転を開始させる第１タイマと、セットされた時刻から所定時間経過後に燃焼運転を停止させる第２タイマとを備えたものに於いて、前記第２タイマは第１タイマのカウント開始と同時に、燃焼停止までのダウンカウントを開始する事を特徴とする燃焼器のタイマ装置。
【請求項２】
前記第１タイマのカウント開始及び第２タイマのダウンカウントは、タイマスイッチの押圧によって行われる事を特徴とする請求項１記載の燃焼器のタイマ装置。
【請求項３】
前記タイマ設定のためのタイマスイッチの押圧後に、連続してタイマスイッチを押圧することで、第２タイマの設定のみが解除される事を特徴とする請求項１及び２記載の燃焼器のタイマ装置。
【発明の詳細な説明】
【技術分野】
【０００１】
この発明は２種類のタイマ機能を備えた燃焼器のタイマ装置に関するものである。
【背景技術】
【０００２】
従来よりこの種のものでは、燃焼中に設定時刻に燃焼を開始させる第１タイマであるおはようタイマをセットすると、安全の為に燃焼は停止しおはようタイマのカウントが開始されるものであり、更に燃焼を継続させる為には、セットしてから所定時間に燃焼を停止させる第２タンマであるおやすみタイマを作動させてから、おやすみタイマの設定を行う必要があった。（例えば、特許文献１参照。）
【特許文献１】特開平５−１７２４００号公報
【発明の開示】
【発明が解決しようとする課題】
【０００３】
ところでこの従来のものでは、おやすみタイマがセットされていなければ、暖房が停止してしまうもので、操作方法を熟知していないと希望通りの設定が出来ず、操作自体も煩わしいく面倒で、婦女子や高齢者では便利な機能であるタイマ機能を使いこなすことが出来ず、使用勝手が極めて悪いものであった。
【課題を解決するための手段】
【０００４】
この発明はこの点に着目し上記問題点を解決する為、請求項１では、予め設定された時刻になると燃焼運転を開始させる第１タイマと、セットされた時刻から所定時間経過後に燃焼運転を停止させる第２タイマとを備えたものに於いて、前記第２タイマは第１タイマのカウント開始と同時に、燃焼停止までのダウンカウントを開始するようにしたものである。
【０００５】
又請求項２では、前記第１タイマのカウント開始及び第２タイマのダウンカウントは、タイマスイッチの押圧によって行われるようにしたものである。
【０００６】
又請求項３では、前記タイマ設定のためのタイマスイッチの押圧後に、連続してタイマスイッチを押圧することで、第２タイマの設定のみが解除されるようにしたものである。
【発明の効果】
【０００７】
この請求項１の発明によれば、第１タイマをセットすることで、自動的に第２タイマもセットされ、極めて便利であり煩わしい操作の必要がなく、婦女子や高齢者でも容易にタイマ機能を利用出来、誤動作の心配もなく常に安心して使用出来るものである。
【０００８】
又請求項２によれば、予め燃焼開始させたい時刻を設定した後、タイマスイッチを押圧するのみの一つの操作で、２つのタイマのカウントが同時に開始されるので、所定時間後の第２タイマによる消火の時期を知ることが出来、使用勝手が良いものである。
【０００９】
又請求項３によれば、第１タイマのみで第２タイマが不用の時には、タイマ設定のタイマスイッチを連続２回押圧することで第２タイマの設定が解除されるので、タイマの設定が極めて容易で、且つ簡単に行われるものである。
【発明を実施するための最良の形態】
【００１０】
次にこの発明に係る燃焼器のタイマ装置を図面に示された一実施形態に基づいて説明する。
１は予め設定された時刻までのカウントを行い、設定時刻と現在時刻とが一致することでバーナ部２に出力して燃焼を開始させる第１タイマ（おはようタイマ）で、時刻設定用の時ボタン３と分ボタン４とが接続し、時刻設定後の押圧で第１タイマ１をカウント開始させるタイマスイッチ５も接続している。
【００１１】
６は前記タイマスイッチ５の押圧で、第１タイマ１からの出力を受けてダウンカウントを開始し、所定時間ここでは１時間後にバーナ部２の燃焼を停止する第２タイマ（おやすみタイマ）で、所定時間は予め設定された不変の一定時間であり、タイマ設定時にタイマスイッチ５を連続２回押圧することで、第１タイマ１から第２タイマ６への作動開始の出力が禁止され、第２タイマ６の設定が解除されて第１タイマ１のみが設定される。
【００１２】
７は前記第１タイマ１及び第２タイマ６を内蔵したマイコンで、屋外の空気で燃焼し、燃焼後の排気ガスと室内空気とを熱交換して室内の暖房を行い、熱交換後の排気ガスを屋外に排気する強制給排気式の燃焼装置の主な制御を行うもので、運転スイッチ８のＯＮ、ＯＦＦでバーナ部２の燃焼、停止を制御するものである。
【００１３】
９は液晶からなる表示部で、燃焼装置の作動状況や現在時刻、室温、設定温度等をマイコン７からの出力で表示すると共に、第１タイマ１の時刻設定やその表示、第２タイマ６の作動状況等も表示するものである。
【００１４】
次にこの一実施形態の作動について図２のフローチャートに基づいて説明する。
今就寝前で燃焼器（図示せず）は燃焼中の時、時ボタン３と分ボタン４で翌朝の燃焼開始時刻を設定する。（ステップ１０）
【００１５】
ステップ１１に進みタイマスイッチ５が押圧されたかを判断し、ＹＥＳでステップ１２に進んでダイマスイッチ５が更に連続して２回押圧されたかを判断して、ＯＮで１回のみの押圧では第１タイマ１及び第２タイマ６をスタートさせ、ステップ１３で第１タイマ１がカウント開始すると共に、第２タイマ６がダウンカウントを開始する。
【００１６】
そしてステップ１４で、第２タイマ６のダウンカウントが０となり、所定時間の１時間が経過すれば、ステップ１５に進んで燃焼を停止させるものであり、上記ステップ１２でＹＥＳの場合もこのステップ１５に進んで燃焼を停止するもので、第２タイマ６の作動を解除し第１タイマ１のみを動作させるものである。
更にステップ１６に進み第１タイマ１が設定時刻に達することで、ＹＥＳでステップ１７で燃焼を開始させるものである。
【００１７】
従って、第１タイマ１であるおはようタイマをセットすることで、自動的に第２タイマ６であるおやすみタイマもセットされるので、極めて便利であり、特別な操作の必要もなく、簡単にタイマ機能を利用できるものである。
又おやすみの第２タイマ６が必要ない時には、タイマ設定後に続けてもう一回タイマスイッチ５を押圧するだけで解除出来、解除も極めて簡単で、使用勝手が良いものである。
【図面の簡単な説明】
【００１８】
【図１】この発明の一実施形態を付したタイマ装置のブロック図。
【図２】同フローチャート。
【符号の説明】
【００１９】
１  第１タイマ
２  バーナ部
５  タイマスイッチ
６  第２タイマ
７  マイコン
【図１】
2005315443.tif 000003
【図２】
2005315443.tif 000004